(57)【要約】【課題】従来のＥＰＧ予約システムでは、携帯電話の他に受信部としてページャが必要であり、携帯電話とページャの両方に加入している必要がある。またページャからはＶＴＲにリモコン信号が送信されるので、常にページャをＶＴＲのリモコン受光部に向けて設置しておかなければならない。【解決手段】サーバーから番組予約情報を携帯端末にダウンロードし、携帯端末内で番組予約情報を音声ファイルに変換する。携帯端末から音声ファイルを再生し、ヘッドセットに取り付けたリモコン送信手段によりリモコンコードを発生してレコーダの録画予約を実行する。【選択図】  図１
2004282213.tif 000002
【特許請求の範囲】
【請求項１】
番組情報を受信する番組情報受信手段と、
前記番組情報に録画予約のためのヘッダを付与した情報を、予約用音声情報に変換する変換手段と、
前記予約用音声情報を音声信号として再生する再生手段とを備えたことを特徴とする制御装置。
【請求項２】
再生手段で再生された音声信号に基づいて、録画予約の制御信号を送信する予約制御情報送信手段をさらに備えたことを特徴とする請求項１記載の制御装置。
【請求項３】
番組情報を情報端末に供給するサーバーと、
予約制御情報に基づいて録画予約を行う録画装置と、
前記サーバーから番組情報を受信する番組情報受信手段と、前記番組情報に録画予約のためのヘッダを付与した情報を予約用音声情報に変換する変換手段と、前記予約用音声情報を再生する再生手段と、前記再生手段で再生された予約用音声情報に基づいて前記予約制御情報を生成し、前記録画装置に送信する予約制御装置とからなる制御システム。
【請求項４】
番組情報を受信する第１のステップと、
前記番組情報に録画予約のためのヘッダを付与した情報を、予約用音声情報に変換する第２のステップと、
前記予約用音声情報を再生する第３のステップと、
再生された予約用音声情報を音声信号として再生する第４のステップと、
前記第４のステップで再生された音声信号に基づいて、録画予約の制御信号を送信する第５のステップとを有することを特徴とする制御方法。
【発明の詳細な説明】
【０００１】
【発明の属する技術分野】
本発明は、ＶＴＲ等のレコーダに対して簡便な操作で番組録画予約が可能な制御装置に関する。
【０００２】
【従来の技術】
近年、携帯電話を用いて遠隔地にあるＶＴＲ等のレコーダの録画予約を行う簡易ＥＰＧ（Ｅｌｅｃｔｒｉｃ  Ｐｒｏｇｒａｍｉｎｇ  Ｇｕｉｄｅ）予約が普及しだしている。従来の簡易ＥＰＧ予約システムでは、録画予約サイトに携帯電話からアクセスし、ＥＰＧ画面から所望の番組を選択することにより、番組予約情報が録画予約サイトから携帯電話に送信され、さらに携帯電話から遠隔地にあるページャに録画予約情報が送信される。ページャからは、ＶＴＲに録画予約信号が送信されて、最終的にＶＴＲの録画予約が完了する。（例えば、特許文献１参照）。
【０００３】
【特許文献１】
特開２００１−１４５１４０号公報（第６−９頁、図１―図６）
【０００４】
【発明が解決しようとする課題】
しかしながら、上記従来の簡易ＥＰＧ予約システムでは、携帯電話の他に受信部としてページャが必要であり、携帯電話とページャの両方に加入している必要がある。またページャからはＶＴＲにリモコン信号が送信されるので、常にページャをＶＴＲのリモコン受光部に向けて設置しておかなければならない。さらに、ページャが常にこの状態にあるかどうかを確認する手段がなく、確実な録画予約できたかどうか確認するすべがなかった。
【０００５】
【課題を解決するための手段】
上記課題を解決するために、本発明は、番組情報を受信する番組情報受信手段と、前記番組情報に録画予約のためのヘッダを付与した情報を、予約用音声情報に変換する変換手段と、前記予約用音声情報を音声信号として再生する再生手段とを備えている。
【０００６】
また再生手段で再生された音声信号に基づいて、録画予約の制御信号を送信する予約制御情報送信手段をさらに備えている。
【０００７】
また番組情報を情報端末に供給するサーバーと、予約制御情報に基づいて録画予約を行う録画装置と、前記サーバーから番組情報を受信する番組情報受信手段と、前記番組情報に録画予約のためのヘッダを付与した情報を予約用音声情報に変換する変換手段と、前記予約用音声情報を再生する再生手段と、前記再生手段で再生された予約用音声情報に基づいて前記予約制御情報を生成し、前記録画装置に送信する予約制御装置とから構成される。
【０００８】
また番組情報を受信する第１のステップと、前記番組情報に録画予約のためのヘッダを付与した情報を、予約用音声情報に変換する第２のステップと、前記予約用音声情報を再生する第３のステップと、
再生された予約用音声情報を音声信号として再生する第４のステップと、前記第４のステップで再生された音声信号に基づいて、録画予約の制御信号を送信する第５のステップとを有している。
【０００９】
【発明の実施の形態】
（実施の形態１）
以下、本発明の第１の実施の形態について、図１から図５を用いて説明する。
【００１０】
図１は本実施の形態における制御装置のシステム構成を示したものである。図１において、１はインターネット網２（含む携帯電話網）に接続され、ハードディスク等のストレッジメディアに蓄積された番組関連情報を供給する情報サーバー、７はインターネット網２との情報のやり取りが可能な携帯電話、８は携帯電話のヘッドセット端子ｐに装着するＩＲコマンド送信部、９は赤外線ＬＥＤ、１０は赤外線ＬＥＤ９からのリモコン指令に従い録画予約を実行するレコーダであり、携帯電話７は、番組情報更新検出部３、番組情報音声ファイル変換部４、音声ファイル再生部５、ディスプレイ部６より構成されている。
【００１１】
以上のように構成された制御装置について図２、図３のタイミングチャート、図５のフローチャートをもとに動作を説明する。なお、予約を行うためのＧコードは、“０”、“０”、“１”であるとする。また、図１の番組情報更新検出部３で行われる処理は図５の処理ブロック６０および処理ブランチ６１に対応し、番組情報音声ファイル変換部４で行われる処理は、処理ブロック６２に対応し、音声ファイル再生部５で行われる処理は、処理ブロック６３および処理ブランチ６４に対応している。
【００１２】
ユーザーは、携帯電話を操作することにより、情報サーバー１上の番組表をディスプレイ上に表示する。番組表には、未来の放送予定の番組内容が時間軸ごとに表示される。各番組項目には予約を行うためのＧコードがリンクされている。ユーザーが所望の番組を選択すると、処理ブロック６０において情報サーバー１上の対応する番組のＧコードがインターネット網２経由で携帯電話７にダウンロードされる。処理ブランチ６１ではダウンロードされた内容がそれ以前にある内容と異なるかどうかを判断する。異なれば処理ステップ６２に進み、ダウンロードされたＧコードを音声ファイルに変換する。リモコン信号は基準周期Ｔが高々３ＫＨｚ程度であり、音声信号帯域は２０ＫＨｚであるので音声信号を利用してリモコン信号を作成することが可能である。
【００１３】
図２は、家電製品協会で規定されるリモコン信号と音声信号の関係を模式的に示したタイミングチャートであり、コマンド送信の場合の波形を表している。リモコン信号は、送信の開始を識別するためのリーダー、送信内容を識別するためのコマンド／データ識別情報、コマンド、１シーケンスの終わりを表すトレイラより構成される。リモコン信号は、Ｈ区間とＬ区間の時間が一定ではないので、生成する音声ファイルの信号は、リモコン信号のＨ区間あるいはＬ区間の倍の周波数の信号を生成する。
【００１４】
図２において、（ａ）は音声ファイルで生成する音声波形、（ｂ）はコマンド送信波形である。（ｂ）において、リーダーはＨ区間８Ｔ、Ｌ区間４Ｔの信号、コマンド／データ種別は、コマンドをあらわす“０”（Ｈ区間２Ｔ、Ｌ区間２Ｔ）、コマンドは予約コマンドを表す“０”“１”、トレイラはＨ区間１Ｔ、Ｌ区間５０Ｔの信号である。携帯電話内で生成する音声ファイルの音声波形は、（ａ）のごとく、所望のリモコン波形（ｂ）の各Ｈ区間、Ｌ区間の倍の周波数の信号波形を組み合わせて生成する。携帯電話７内の一時記憶領域（図示せず）には、各周波数に対応した音声波形データが格納されており、これを結合することにより音声波形（ａ）に相当する音声波形データが生成される。
【００１５】
図３は、同じく家製協で規定されるリモコン信号と音声信号の関係を模式的に示したタイミングチャートであり、データ送信の場合の波形を表している。図３において、（ａ）は音声ファイルで生成する音声波形、（ｂ）はリモコンデータ波形である。（ａ）において、リーダーはＨ区間８Ｔ、Ｌ区間４Ｔの信号、コマンド／データ種別は、データを表す“１”（Ｈ区間２Ｔ、Ｌ区間２Ｔ）、データは予約データ（Ｇコード）を表す“０”、“０”、“１”、トレイラはＨ区間１Ｔ、Ｌ区間５０Ｔの信号である。携帯電話内で生成する音声ファイルの音声波形は、（ａ）のごとく、所望のリモコン波形（ｂ）の各Ｈ区間、Ｌ区間の倍の周波数の信号波形を組み合わせて生成する。
【００１６】
以上に示したように処理ブロック６２においてＧコードから音声ファイルに変換処理が行われ、音声ファイルが生成される。
【００１７】
次に処理ブロック６３では、生成された音声ファイルが携帯電話７内の一時記憶領域から読み出され、内部の音楽再生機能を用いて音声信号が再生される。処理ブランチ６４では、再生が終了したかどうかが判断され、終了すれば、再度処理ブランチ６１でデータの更新待ちを行う。
【００１８】
再生された音声は携帯電話７のヘッドセット端子ｐからＩＲコマンド送信部８へ供給される。
【００１９】
図４は、ＩＲコマンド送信部８のハード構成を示したものであり、分周器４０、赤外線ＬＥＤ４１、負荷抵抗４２から構成されている。
【００２０】
ヘッドセット端子ｐから供給された音声信号は、分周器４０に入力される。分周器４０では、図２（ａ）および図３（ａ）で示されるような自身の音声信号をクロックとして１／２分周を行い、図２（ｂ）および図３（ｂ）に示されるようなリモコン信号を出力する。リモコン信号は赤外線ＬＥＤ９に供給され、レコーダ１０のリモコン受光部（図示せず）に赤外線が供給されて、録画予約が完了する。なお、本実施例においては携帯電話を想定した説明を行ったが本発明の範囲はこれに限定するものではなく、ＰＤＡ等の携帯型情報端末をも含むものとする。また、実施例において、携帯電話から音声出力はヘッドセット端子としたが、これに限るものではなく、ＰＤＡであればヘッドフォンジャック等にかわるものであるとする。
【００２１】
（実施の形態２）
以下、本発明の第２の実施の形態について図６および図７を用いて説明する。本実施の形態は、本発明を書庫管理システムに応用したものである。これまで図書の貸し出しを行う書庫管理システムにおいては、予め登録された番号を入力することにより、対応する番号の図書を検索を行っていた。しかし携帯端末とリンクしたシステムはいままでになかった。本実施の形態は、携帯端末とリンクしたシステムにより、簡便なシステムで書庫管理および自動貸し出しを実現するものである。
【００２２】
図６は本発明の書庫管理システムのシステム構成を示したものである。図６において、６１はインターネット網２（含む携帯電話網）に接続され、ハードディスク等のストレッジメディアに蓄積された図書管理情報を供給する管理サーバー、６６は赤外線ＬＥＤ９からのリモコン指令に従い図書の検索を行う図書カート、６７は図書カートと連結された書庫であり、携帯電話７は、図書検索情報抽出部６３、図書検索情報音声ファイル変換部６４、音声再生部５、ディスプレイ部６より構成されており、管理サーバーはインターネット網２を介して図書カートとも接続されている。
【００２３】
以上のように構成された書庫管理システムについて図２、図３のタイミングチャート、図７のフローチャートをもとに動作を説明する。なお、図６の“ハリーポッター”の図書検索コードは、“０”、“０”、“１”であるとする。また、図６の図書検索情報抽出部６３で行われる処理はは図７の処理ブロック７０および処理ブランチ７１に対応し、図書検索情報音声ファイル変換部６４で行われる処理は、処理ブロック７２に対応し、音声ファイル再生部５で行われる処理は、処理ブロック７３および処理ブランチ７４に対応している。また、図書管理サーバー６１には、予め図書カードから貸し出し状況が供給されているものとする。また、第１の実施の形態と重複する説明は省略する。
【００２４】
ユーザーは、携帯電話を操作することにより、図書管理サーバー６１上の図書貸し出し一覧表をディスプレイ上に表示する。一覧表には、現在書庫に残っている図書の在庫状況が一覧表示される。各図書項目には貸し出しを行うための識別コードがリンクされている。ユーザーが所望の図書を選択すると、処理ブロック７０において図書管理サーバー６１上の対応する図書の管理コードがインターネット網２経由で携帯電話７にダウンロードされる。処理ブランチ７１ではダウンロードされた内容がそれ以前にある内容と異なるかどうかを判断する。異なれば処理ステップ７２に進み、ダウンロードされた管理コードを音声ファイルに変換する。
【００２５】
次に処理ブロック７３では、生成された音声ファイルが携帯電話７内の一時記憶領域から読み出され、内部の音楽再生機能を用いて音声信号が再生される。処理ブランチ７４では、再生が終了したかどうかが判断され、終了すれば、再度処理ブランチ７１でデータの更新待ちを行う。
【００２６】
再生された音声は携帯電話７のヘッドセット端子ｐからＩＲコマンド送信部８へ供給される。ＩＲコマンド送信部８から送出されたリモコン信号は赤外線ＬＥＤ９に供給され、図書カート６６のリモコン受光部（図示せず）に赤外線が供給される。図書カートは、管理コードを元に図書の位置を特定する。この場合“０”、“０”、“１”であるので、縦方向に０、横方向に０、奥行き方向に１だあけカートマシンを進め、所望の図書“ハリーポッター”を選択し、送出する。図書カートは、図書を送出するごとに管理サーバー６１に在庫状況を報告する。
【００２７】
以上のように簡便なシステムにより図書の管理および自動貸し出しが可能となる。
【００２８】
なお、本実施例においては携帯電話を想定した説明を行ったが本発明の範囲はこれに限定するものではなく、ＰＤＡ等の携帯型情報端末をも含むものとする。また、実施例において、携帯電話から音声出力はヘッドセット端子としたが、これに限るものではなく、ＰＤＡであればヘッドフォンジャック等にかわるものであるとする。また、本実施例においては書庫管理システムとして説明を行ったが、書庫に限るものではなく、例えば資材や部品、あるいは冷蔵庫内の食材の管理システムにも同等の構成で応用が可能である。
【００２９】
【発明の効果】
以上のように本発明の制御装置は、本来携帯電話やＰＤＡが備えているダウンロード機能、音楽再生機能、音声信号出力機能を利用し、これに安価なハードウェアで構成が可能なＩＲコマンド送信部８を付加することにより、簡単な構成で制御装置を構成することが可能である。さらに音声信号を用いるメリットとして携帯電話のデータ通信ポート等の内部仕様を知らない業者でもＩＲコマンド送信部の構築は可能であるため、異業種のメーカーでも簡単に制御装置を構築することが可能であり、その効果は絶大なる。
【００３０】
また本発明を書庫管理システムに応用した場合は、図書カート６６と管理サーバー６１が遠隔地にあってもインターネット網２で互いに接続されているために、書庫の在庫状況をリアルタイムに管理サーバー６１で管理することで、書庫の管理と自動貸し出しとを同時に行うことが可能となり、その効果は極めて大きい。
【図面の簡単な説明】
【図１】本発明の実施の形態１における制御装置のシステム構成を示す図
【図２】本発明の制御装置のコマンド送信を示す図
【図３】本発明の制御装置のデータ送信を示す図
【図４】本発明の制御装置のＩＲ送信部のハード構成を示す図
【図５】本発明の実施の形態１における制御装置の携帯電話内での動作フローチャート
【図６】本発明の実施の形態２における書庫管理システムのシステム構成を示す図
【図７】本発明の実施の形態２における書庫管理システムの携帯電話内の動作フローチャート
【符号の説明】
１  サーバー
２  インターネット網
３  番組情報更新検出部
４  番組情報音声ファイル変換部
５  音声ファイル再生部
６  ディスプレイ部
７  携帯電話
８  ＩＲコマンド送信部
９  赤外線ＬＥＤ
１０  レコーダ
【図１】
2004282213.tif 000003
【図２】
2004282213.tif 000004
【図３】
2004282213.tif 000005
【図４】
2004282213.tif 000006
【図５】
2004282213.tif 000007
【図６】
2004282213.tif 000008
【図７】
2004282213.tif 000009